(57)【要約】【課題】住戸の出入り口に連続して備えられる入り口側空間からの居室の独立性を高く確保させながら、この入り口側空間の奥側に入りための入り口をできる限り大きく確保できるようにする。【解決手段】集合住宅の住戸構造を、集合住宅を構成するワンルームタイプの住戸の構造である。住戸の奥行き方向ｘに続く境界壁６から室内側に突き出す第一仕切り壁５ｃと、この第一仕切り壁５ｃの突き出し端５ｃ’から玄関５ａ側に向けて突き出す第二仕切り壁５ｄとによって居室１と区分され、かつその住戸の出入り口７に連続して備えられている入り口側空間５を備えていると共に、第二仕切り壁５ｄの突き出し端５ｄ’が入り口側空間５と居室１とを仕切る段差部１ａと略同じ位置に位置されるようにしてある。【選択図】図１
2008127749.tif 000002
【特許請求の範囲】
【請求項１】
集合住宅を構成するワンルームタイプの住戸の構造であって、
住戸の奥行き方向に続く境界壁から室内側に突き出す第一仕切り壁と、この第一仕切り壁の突き出し端から玄関側に向けて突き出す第二仕切り壁とによって居室と区分され、かつその住戸の出入り口に連続して備えられている入り口側空間を備えていると共に、
第二仕切り壁の突き出し端が入り口側空間と居室とを仕切る段差部と略同じ位置に位置されるようにしてあることを特徴とする集合住宅の住戸構造。
【発明の詳細な説明】
【技術分野】
【０００１】
この発明は、集合住宅を構成するワンルームタイプの住戸の構造に関する。
【背景技術】
【０００２】
いわゆるワンルームマンションと呼ばれる形式の住戸に関し、土間空間と居室空間とを両者間に段差を形成させて間仕切りなく連続させるようにしたものがある。（特許文献１参照）
【０００３】
しかるに、こうした形式の住戸であっても、前記のような土間空間から居室空間は基本的には独立していることが好ましい。とはいえ、単純に土間空間と居室空間とを壁によって仕切ってしまうと出入り口から自転車などを土間空間の所定の位置に搬入し難いなどの不都合を生じさせることとなる。
【特許文献１】特開２００１−２９５４８２号公報
【発明の開示】
【発明が解決しようとする課題】
【０００４】
この発明が解決しようとする主たる問題点は、住戸の出入り口に連続して備えられる入り口側空間（前記土間空間に相当）からの居室の独立性を高く確保させながら、この入り口側空間の奥側に入るための入り口をできる限り大きく確保できるようにする点にある。
【課題を解決するための手段】
【０００５】
前記課題を達成するために、この発明にあっては、集合住宅の住戸構造を、集合住宅を構成するワンルームタイプの住戸の構造であって、
住戸の奥行き方向に続く境界壁から室内側に突き出す第一仕切り壁と、この第一仕切り壁の突き出し端から玄関側に向けて突き出す第二仕切り壁とによって居室と区分され、かつその住戸の出入り口に連続して備えられている入り口側空間を備えていると共に、
第二仕切り壁の突き出し端が入り口側空間と居室とを仕切る段差部と略同じ位置に位置されるようにしてあるものとした。
【０００６】
第二仕切り壁の突き出し端は、入り口側空間と居室とを仕切る段差部と略同じ位置に位置されていることから、第一仕切り壁と第二仕切り壁とによって入り口側空間における第二仕切り壁の突き出し端よりも奥側に位置される空間と居室とを明確に区分させながら、この奥側に位置される空間への入り口の幅を最大限に確保させることができる。
【発明の効果】
【０００７】
この発明によれば、ワンルームタイプの住戸における限られたスペースの範囲内において、住戸の出入り口に連続して備えられる入り口側空間からの居室の独立性を高く確保させながら、この入り口側空間の奥側に入るための入り口をできる限り大きく確保させることができる。
【発明を実施するための最良の形態】
【０００８】
以下、図１および図２に基づいて、この発明を実施するための最良の形態について説明する。
【０００９】
なお、ここで図１は、この発明を適用して構成された住戸の一例の平面構成を示しており、また、図２は、この発明を適用して構成された住戸の他の一例の平面構成を示している。
【００１０】
この実施の形態にかかる住戸構造は、いわゆるアパートやマンション、各種の寮などとして利用される集合住宅を構成する住戸のうちの、ワンルームタイプの住戸に適用されるものである。
【００１１】
ここで、本明細書においてワンルームタイプの住戸という概念は、厨房設備を含んでなる一つのメイン居室（主たる居室）にサニタリーを組み合わせて構成される住戸、一つのメイン居室にキッチンおよびサニタリーを組み合わせて構成される住戸、およびこれらにさらにクローゼット、サービスルーム、サンルームなどの補助的な空間の一又は二以上をさらに組み合わせて構成される住戸を含むものであり、本明細書においてはこうした各住戸を含ませる意図でワンルームタイプという表現を使用している。
【００１２】
図示の例では、かかる住戸を、一つのメイン居室１（リビング兼ベッドルーム、場合によってはさらにダイニングを兼ねる。）と、キッチン２と、パウダールーム３（トイレ設備３ａと洗面設備３ｂを備えさせたサニタリー）と、バスルーム４と、サンルーム１７（インサイドテラスなどとも称される。）と、後述する入り口側空間５（玄関５ａとこれと一体になったクローゼット５ｂ’）とから構成させている。
【００１３】
図示の例では、かかる住戸は間口に対し奥行きを大きくすると共に、この奥行き方向ｘに沿った一対の境界壁６、６間に前記メイン居室１などを備えさせて構成されている。すなわち、かかる住戸は、平面視の状態において略長方形の内郭を有しており、その幅方向に亘る一方辺側の略中程に玄関ドアによって塞がれる出入り口７となる開口部を、また、この出入り口７と反対の側に窓開口部８を備えている。
【００１４】
典型的には、このように構成された複数の住戸を出入り口７を同じ方角に向けるようにして並列状に配し、このように配される複数の住戸の出入り口７がそれぞれ臨む外廊下を設けるなどして、一棟の集合住宅が構成される。
【００１５】
また、この実施の形態にかかる住戸にあっては、かかる住戸の奥行き方向ｘに続く境界壁６から室内側に突き出す第一仕切り壁５ｃと、この第一仕切り壁５ｃの突き出し端５ｃ’から玄関５ａ側に向けて突き出す第二仕切り壁５ｄとによってメイン居室１と区分され、かつその住戸の出入り口７に連続して備えられている入り口側空間５を備えている。それと共に、かかる第二仕切り壁５ｄの突き出し端５ｄ’が入り口側空間５とメイン居室１とを仕切る段差部１ａ（より具体的には上り框）と略同じ位置に位置されるようになっている。
【００１６】
第二仕切り壁５ｄの突き出し端５ｄ’は、入り口側空間５とメイン居室１とを仕切る段差部１ａと略同じ位置に位置されていることから、第一仕切り壁５ｃと第二仕切り壁５ｄとによって入り口側空間５における第二仕切り壁５ｄの突き出し端５ｄ’よりも奥側に位置される空間５ｂ（図示の例ではクローゼット５ｂ’）とメイン居室１とを明確に区分させながら、この奥側に位置される空間５ｂへの入り口５ｅの幅を最大限に確保させることができる。
【００１７】
かかる入り口側空間５は、住戸の出入り口７に連続して備えられる反面、メイン居室１とは段差部１ａで仕切られていることから、屋外と屋内との中間的な空間であり、自転車などの屋外で利用する物品の収納保管のスペースなどとして、あるいはまたペットを飼うスペースなどとして、都合良く使用することができる。また、机などの屋内で使用する物品などを設置などしてメイン居室１に準じた使用をすることもできる。
【００１８】
第一仕切り壁５ｃと第二仕切り壁５ｄとを利用して、奥行き方向ｘに沿ったハンガーパイプ１４と間口方向ｙに沿ったハンガーパイプ１４とを、かかる入り口側空間５内に備えさせることができる。あるいはまた、単一のハンガーパイプ１４が奥行き方向ｘに沿った部分と間口方向ｙに沿った部分との双方の部分を持つようにした状態で、かかるハンガーパイプ１４をかかる入り口側空間５内に備えさせることができる。
【００１９】
図１に示される例では、住戸は、その奥行き方向ｘに沿うと共に出入り口７の一方の開口縁を通る仮想の仕切り面ｚに沿って形成された、第二仕切り壁５ｄと、この第二仕切り壁５ｄとサンルーム１７との間に形成された左右仕切り壁９とによって、左右に概ね二分されている。
【００２０】
前記段差部１ａは間口方向ｙに沿って形成され、第二仕切り壁５ｄの突き出し端５ｄ’はこの段差部１ａを通る仮想の直線ｙ’上に略位置されている。この例ではまた、住戸の奥行き方向ｘに沿うと共に出入り口７の他方の開口縁を通る仮想の直線ｘ’に沿うように形成された左右仕切り壁１０が前記仮想の直線ｙ’上で終了している。
【００２１】
この例では、この左右仕切り壁１０と、段差部１ａと、第二仕切り壁５ｄと、第一仕切り壁５ｃとにそれぞれ面した空間が前記入り口側空間５として機能し、この入り口側空間５のうち、前記仮想の仕切り面ｚと左右仕切り壁１０との間が玄関５ａとして機能し、残りの空間がマルチパーパスのクローゼット５ｂ’として機能するようになっている。
【００２２】
また、この例では、段差部１ａの段上には間口方向ｙに可動可能な間仕切り体１１としての引き違い戸が備えられており、この引き違い戸により段差部１ａ上の空間を閉塞させることにより、メイン居室１の独立性を高めることができるようになっている。
【００２３】
また、この例では、奥行き方向ｘに沿った一方腕部と間口方向ｙに沿った他方腕部とを備えた平面視Ｌ字状をなすハンガーパイプ１４の一方腕部の端を入り口側空間５内において第一仕切り壁５ｃに向き合う壁１２に取り付け、かつ、他方腕部の端を入り口側空間５内において第二仕切り壁５ｄに取り付けることで、このように構成されたハンガーパイプ１４を入り口側空間５のクローゼット５ｂ’内に備え付けさせている。
【００２４】
また、この例では、サンルーム１７は間口方向ｙに亘って設けられていると共に、メイン居室１とは間口方向ｙに可動可能な間仕切り体１６としての引き違い戸によって仕切られるようになっている。この間仕切り体１６を吊り戸にすれば吊り戸を開いたときはメイン居室１とサンルーム１７とを段差のないバリアフリーな一つの連続空間にさせることができる。窓開口部８は、例えば、下部を不透明なはめ殺し窓とし、上部を透明な可動窓とする。（例えば床から１．１ｍより上方）このようにしておけば、窓開口部８の上部から通風が得られると共に、窓開口部８の下部によってサンルーム１７に干された洗濯物を見えがたくするなど、居住者のプライバシーを確保させることができる。
【００２５】
図２に示される例では、住戸は、その奥行き方向ｘに沿う仮想の仕切り面ｚに沿って形成された左右仕切り壁９および間仕切り体１５と、その間口方向ｙに沿って設けられたメイン居室１とサンルーム１７とを区分する間仕切り体１６とによって、概ね二分されている。
【００２６】
前記段差部１ａは、概ね住戸の奥行き方向ｘに沿うと共に出入り口７の一方の開口縁を通る仮想の直線ｘ”と、住戸の奥行き方向ｘに沿うと共に出入り口７の他方の開口縁を通る仮想の直線ｘ’との間に亘って、住戸の間口方向ｙに沿って形成されている。第二仕切り壁５ｄの突き出し端５ｄ’はこの段差部１ａを通る仮想の直線ｙ’上に略位置されている。
【００２７】
この例では、この段差部１ａと、第二仕切り壁５ｄと、第一仕切り壁５ｃとにそれぞれ面した空間が前記入り口側空間５として機能し、この入り口側空間５のうち、前記出入り口７の一方の開口縁を通る仮想の直線ｘ”と出入り口７の他方の開口縁を通る仮想の直線ｘ’との間が玄関５ａとして機能し、残りの空間がマルチパーパスのクローゼット５ｂ’として機能するようになっている。
【００２８】
また、この例では、入り口側空間５内において、第一仕切り壁５ｃとこの第一仕切り壁５ｃに向き合う壁１２との間に第一のハンガーパイプ１４が架設され、かつ、この第一のハンガーパイプ１４の上又は下において第二仕切り壁５ｄとこの第二仕切り壁５ｄに向き合う壁１３との間に第二のハンガーパイプ１４が架設されており、向きを異ならせる二本のハンガーパイプ１４、１４を平面視の状態においてクロスさせるようにして入り口側空間５のクローゼット５ｂ’内に備え付けさせている。
【００２９】
また、この例では、サンルーム１７は間口方向ｙに亘って設けられていると共に、キッチン２がこのサンルーム１７に連続して設けられている。このサンルーム１７およびキッチン２とメイン居室１とは前記間仕切り体１６としての引き違い戸によって仕切られるようになっている。この間仕切り体１６を吊り戸にすれば吊り戸を開いたときはメイン居室１とキッチン２およびサンルーム１７とを段差のないバリアフリーな一つの連続空間にさせることができる。窓開口部８は、例えば、下部を不透明なはめ殺し窓とし、上部を透明な可動窓とする。（例えば床から１．１ｍより上方）このようにしておけば、窓開口部８の上部から通風が得られると共に、窓開口部８の下部によってサンルーム１７に干された洗濯物を見えがたくするなど、居住者のプライバシーを確保させることができる。
【図面の簡単な説明】
【００３０】
【図１】住戸の平面構成図（見取り図）
【図２】他の構成例にかかる住戸の平面構成図（見取り図）
【符号の説明】
【００３１】
ｘ  奥行き方向
１  居室（メイン居室）
１ａ  段差部
５  入り口側空間
５ｃ  第一仕切り壁
５ｃ’  突き出し端
５ｄ  第二仕切り壁
５ｄ’  突き出し端
６  境界壁
７  出入り口
【図１】
2008127749.tif 000003
【図２】
2008127749.tif 000004